(57)【要約】【目的】  電波の受信性能が良好なアンテナ、当該アンテナを使用した腕時計およびアンテナの製造方法の提供を目的とする。【構成】  コア１０は、非晶質軟磁性合金からなる薄片を積層してなる積層コアであって、幅狭の直状部１１ａ、およびその両端の幅広のフランジ部１１ｂを有する短尺片１１と、幅狭の直状部１２ａ、およびその両端の幅広のフランジ部１２ｂを有し、該フランジ部に延伸部１２ｃが形成された長尺片１２とが、それぞれ必要枚数を積層して構成される。このコア１０が、ケース本体１６とケース蓋１７に収納された際に、ケース蓋１７のフランジ蓋１７ｃの押し込みにより幅広のフランジ部１２ｂが変形されて、フランジ部の積層を分割する隙間Ｓが設けられる。【選択図】図１
2006157295.tif 000002
【特許請求の範囲】
【請求項１】
非晶質軟磁性合金製の薄片を複数枚積層してなるコアと、
このコアを収納する樹脂ケースと、
前記コアを巻回軸とするコイルとを備え、
前記複数の薄片夫々は、中央のコイル巻回部と、このコイル巻回部の両端に形成されたフランジ部とを備えており、
このフランジ部の積層部は、前記樹脂ケース内に前記コアを収納した際に、前記樹脂ケースに形成されている突部の押し込み作用により形成された隙間を備えていることを特徴とするアンテナ。
【請求項２】
前記コアは、第1の薄片が積層された第１積層部と、前記フランジ部に延伸部が形成された第２の薄片が積層された第２積層部とを有し、前記隙間は、前記第１積層部のフランジ部と前記第２積層部のフランジ部との間に形成されていることを特徴とする請求項１記載のアンテナ。
【請求項３】
前記樹脂ケースは、上方が開口されたケース本体と、前記開口に取り付けられたケース蓋とを備え、前記ケース蓋の両端は、前記開口に取り付けられた際に前記フランジ部に当接する下方突部を備えており、前記隙間は、この下方突部により前記フランジ部の積層部を分割することにより形成されていることを特徴とする請求項１または請求項２記載のアンテナ。
【請求項４】
請求項１から請求項３記載のいずれかのアンテナと、このアンテナを内蔵した腕時計本体とを備えていることを特徴とする腕時計。
【請求項５】
前記フランジ部の外形の一部は、時計本体の部品収納壁部の形状にほぼ一致するように円弧状または屈折状の形状を成していることを特徴とする請求項４記載の腕時計。
【請求項６】
コイル巻回部と該コイル巻回部の両端に形成されたフランジ部とを有する非晶質軟磁性合金製の第１の薄片を、複数枚積層して第１のコア積層部を作製する第１のコア積層部作製工程と、
コイル巻回部と該コイル巻回部の両端に形成されたフランジ部とを有し、かつ、該フランジ部に延伸部が形成された非晶質軟磁性合金製の第２の薄片を、複数枚積層して第２のコア積層部を作製する第２のコア積層部作製工程と、
前記第１、第２の各コア積層部を上面が開口された第１のケース本体に、前記第１のコア積層部が開口側になるように収納する収納工程と、
前記第１のケース本体の開口に第２のケース本体を取り付けた際に、当該第２のケース本体に形成された突部を前記第２積層部における前記延伸部に当接させ、かつ、前記第１のケース本体の中央部に形成された突部を前記第２のコア積層部の中央部に当接させ、これら各当接作用により前記第２積層部のフランジ部を外方向に変形させる変形工程と、
を備えることを特徴とするアンテナの製造方法。
【請求項７】
コイル巻回部と該コイル巻回部の両端に形成されたフランジ部とを有する非晶質軟磁性合金製の第１の薄片を、複数枚積層して形成された第１のコア積層部と、
コイル巻回部と該コイル巻回部の両端に形成されたフランジ部とを有し、かつ、該フランジ部に延伸部が形成された非晶質軟磁性合金製の第２の薄片を、複数枚積層して形成された第２のコア積層部と、
前記第１、第２の各コア積層部を収納するために上面が開口された第１のケース本体と、
この第１のケース本体内に前記第１、第２の各コア積層部が収納された後に、前記第１のケース本体の開口に取り付けられた第２のケース本体とを備えており、
前記第２積層部のフランジ部は、前記第１のケース本体内に前記第１、第２の各コア積層部が収納された後、前記第１のケース本体の開口に前記第２のケース本体を取り付けた際に、当該第２のケース本体に形成された突部を前記第２積層部における前記延伸部に当接させ、かつ、前記第１のケース本体の中央部に形成された突部を前記第２のコア積層部の中央部に当接させ、これら各当接作用によりに変形された外方向変形部を備えていることを特徴とするアンテナ。
【発明の詳細な説明】
【技術分野】
【０００１】
本発明は、アンテナ、アンテナを内蔵する腕時計およびアンテナの製造方法に関する。
【背景技術】
【０００２】
時計は時刻の正確さが要求されるものであり、幾ら性能が優れた時計であっても、時刻に必ず誤差が生ずることから誤差が生じた場合、その時刻の修正が必要となる。そこで、近年、時刻修正の手間を省く時計として、標準時刻情報の電波（以下、「標準電波」と略す）を使用して、時計を常にまたは定期的に正確な現在時刻とすることのできる標準時刻情報電波受信時計（以下、「電波時計」と略す）が実施されるに至っている。この電波時計は、日本国内について述べれば、独立行政法人通信総合研究所が運営する「おおたかど山送信所」と「はがね山送信所」との各送信所から、日本標準時時刻情報が４０ｋＨｚと６０ｋＨｚとの長波をそれぞれ使用して発信されているので、それを受信するようにしている。
【０００３】
標準電波を受信する電波時計には、上記４０ｋＨｚおよび／または６０ｋＨｚの長波を受信するアンテナを内蔵し、該アンテナによって受信した標準電波から日本標準時時刻情報を取り出して、時計の時刻を修正する。
【０００４】
電波時計は、置き時計、壁掛け時計のクロックタイプと、腕時計、懐中時計のウォッチタイプとに分類できる。クロックタイプの場合は内容積が大きく、内蔵部品に対するサイズ制限が緩慢なため、標準電波を受信するアンテナも安価で比較的大きな棒状フェライトコアが使用されている。一方、ウォッチタイプは限られた小さな内容積に各種部品を収納するため、部品のひとつであるアンテナも、寸法制約が大変厳しく、更に、標準電波の受信性能はクロックタイプと同等またはそれ以上とする必要がある。そのため、限られた容積に対する収納性、電波の受信性能が求められることから、アンテナのコア形状を、円弧状あるいはドラム状の形状としたり、コアの材質にフェライト或いは金属材料の非晶質軟磁性合金などを使用したりして、標準電波の受信が可能な小型アンテナが実施されている。
【０００５】
しかし、ウォッチタイプの電波時計の外装ケースとして、高級感を演出するステンレス、チタンなどの金属ケースを使用した場合、ウォッチに内蔵する上述のアンテナは、標準電波の受信性能が著しく低下していた。そこで、それを解決するものとして、図１１および図１２に示すアンテナが提案されている。
【０００６】
図１１は非晶質軟磁性合金の積層コアを使用した従来のアンテナの断面図であり、非晶質軟磁性合金製薄片の積層コア５２の両端に、該積層を分割するスペーサ５３を挿入することにより、コイル５４を備えているアンテナ５１の受信性能を表すＱ特性を向上させるものである（特許文献１）。
【０００７】
また図１２は、非晶質軟磁性合金の積層コアを使用した別な従来のアンテナの略平面図を示したもので、アンテナ６１に近接する金属６４へ漏れる磁束を低減するために、コイル６５を備えているコア６２の磁路を閉鎖状ループとしたものである（特許文献２）。
【特許文献１】特開２００４−１７９８０３号公報（図１）
【特許文献２】特開２００４−１０４５５１号公報（図１、図６）
【発明の開示】
【発明が解決しようとする課題】
【０００８】
しかしながら、ウォッチは限られた内容積であるため、該ウォッチに内蔵する標準電波を受信するアンテナについても小型化が必要であるところ、特許文献２に示されたアンテナ６１は、コア磁路を閉鎖状ループとするため、副磁路６３あるいはバイパスコアを必要とし、そのためにアンテナの小型化を阻害していた。また、特許文献１では、積層コアの積層間に小さなスペーサ５３を挿入することは、大変細かな作業であり、工数と熟練度を必要とするものであった。
【０００９】
本発明の課題は、電波の受信性能に優れ、かつ、製作性の優れるアンテナ、該アンテナを内蔵した腕時計およびアンテナの製造方法を提供することにある。
【課題を解決するための手段】
【００１０】
本発明は、非晶質軟磁性合金製の薄片を複数枚積層してなるコアと、このコアを収納する樹脂ケースと、前記コアを巻回軸とするコイルとを備え、前記複数の薄片夫々は、中央のコイル巻回部と、このコイル巻回部の両端に形成されたフランジ部とを備えており、このフランジ部の積層部は、前記樹脂ケース内に前記コアを収納した際に、前記樹脂ケースに形成されている突部の押し込み作用により形成された隙間を備えていることを特徴とするアンテナである。
この場合、前記コアは、第1の薄片が積層された第１積層部と、前記フランジ部に延伸部が形成された第２の薄片が積層された第２積層部とを有し、前記隙間は、前記第１積層部のフランジ部と前記第２積層部のフランジ部との間に形成されていることが好ましい。
また、前記樹脂ケースは、上方が開口されたケース本体と、前記開口に取り付けられたケース蓋とを備え、前記ケース蓋の両端は、前記開口に取り付けられた際に前記フランジ部に当接する下方突部を備えており、前記隙間は、この下方突部により前記フランジ部の積層部を分割することにより形成されていることが好ましい。
【００１１】
本発明は、前述したアンテナを腕時計本体に内蔵したことを特徴とする腕時計である。この場合、このアンテナのうち、フランジ部の外形の一部は、時計本体の部品収納壁部の形状にほぼ一致するように円弧状または屈折状の形状を成していることが好ましい。
【００１２】
本発明は、コイル巻回部と該コイル巻回部の両端に形成されたフランジ部とを有する非晶質軟磁性合金製の第１の薄片を、複数枚積層して第１のコア積層部を作製する第１のコア積層部作製工程と、コイル巻回部と該コイル巻回部の両端に形成されたフランジ部とを有し、かつ、該フランジ部に延伸部が形成された非晶質軟磁性合金製の第２の薄片を、複数枚積層して第２のコア積層部を作製する第２のコア積層部作製工程と、前記第１、第２の各コア積層部を上面が開口された第１のケース本体に、前記第１のコア積層部が開口側になるように収納する収納工程と、前記第１のケース本体の開口に第２のケース本体を取り付けた際に、当該第２のケース本体に形成された突部を前記第２積層部における前記延伸部に当接させ、かつ、前記第１のケース本体の中央部に形成された突部を前記第２のコア積層部の中央部に当接させ、これら各当接作用により前記第２積層部のフランジ部を外方向に変形させる変形工程とを備えることを特徴とするアンテナの製造方法である。
【００１３】
本発明は、コイル巻回部と該コイル巻回部の両端に形成されたフランジ部とを有する非晶質軟磁性合金製の第１の薄片を、複数枚積層して形成された第１のコア積層部と、コイル巻回部と該コイル巻回部の両端に形成されたフランジ部とを有し、かつ、該フランジ部に延伸部が形成された非晶質軟磁性合金製の第２の薄片を、複数枚積層して形成された第２のコア積層部と、前記第１、第２の各コア積層部を収納するために上面が開口された第１のケース本体と、この第１のケース本体内に前記第１、第２の各コア積層部が収納された後に、前記第１のケース本体の開口に取り付けられた第２のケース本体とを備えており、
前記第２積層部のフランジ部は、前記第１のケース本体内に前記第１、第２の各コア積層部が収納された後、前記第１のケース本体の開口に前記第２のケース本体を取り付けた際に、当該第２のケース本体に形成された突部を前記第２積層部における前記延伸部に当接させ、かつ、前記第１のケース本体の中央部に形成された突部を前記第２のコア積層部の中央部に当接させ、これら各当接作用によりに変形された外方向変形部を備えていることを特徴とするアンテナである。
【発明の効果】
【００１４】
本発明によれば、アンテナの電波収束性が向上し、電波の受信性能と製作性とを飛躍的に向上させることができる。この結果、例えば、ウォッチタイプの時計に本発明のアンテナを内蔵した場合には、その時計の外装ケースとして金属製ケースの使用が可能となり、さらにアンテナが小型であるため、ウォッチのデザイン性、高級感に優れる電波ウォッチの提供が可能となる。
【発明を実施するための最良の形態】
【００１５】
図を用いて本発明のアンテナの実施形態を説明する。図１は本発明のアンテナを示し、図１（ａ）はアンテナの平面図、図１（ｂ）は図１（ａ）に示すアンテナにおけるＩ−Ｉ断面図、図２は図１（ａ）におけるＩＩ―ＩＩ線断面図、図３は図１（ａ）におけるＩＩＩ―ＩＩＩ線断面図である。図４は本発明のアンテナに使用するコアの斜視図、図５は本発明のアンテナに使用するケースの斜視図である。
【００１６】
本発明のアンテナは、図１（ａ）に示すように、点線で示すコア１０と、樹脂ケース１５と、コイル２０とから構成されているものである。コア１０は非晶質軟磁性合金からなる薄片を積層してなる積層コアであって、その構造は図４に示す通りである。
すなわち、コア１０は、長さの短い短尺片１１およびこの短尺片１１の長さよりも長い長尺片１２の２種類の薄片からなる。短尺片１１は、コイル巻回部である幅狭の直状部１１ａと、その両端の幅広のフランジ部１１ｂとを有する。長尺片１２は、コイル巻回部である幅狭の直状部１２ａと、その両端の幅広のフランジ部１２ｂとを有する。フランジ部１２ｂには延伸部１２ｃが形成されており、長尺片１２上に短尺片１１を積層したときに、延伸部１２ｃが短尺片１１のプランジ部１１ｂの端部から外方向に突出し、外方向変形部となる。このコア１０は、短尺片１１が必要枚数積層された、第1のコア積層部である第１積層部１３および長尺片１２が必要枚数積層された、第２のコア積層部である第２積層部１４により形成されている。なお、非晶質軟磁性合金は必要に応じて、薄帯，薄片，積層のいずれかの状態において良好な軟磁気特性が得られる熱処理を実施している。
【００１７】
また、図１（ｂ）に示すように、長尺片１２からなる第２積層部１４のフランジ１２ｂの延伸部１２ｃは、ケース蓋１７に形成されたフランジ蓋１７ｃにより、ケース本体１６側に押し込まれている。
このような構造を備えているコア１０を収納する樹脂ケース１５の構造は図５の通りである。
すなわち、樹脂ケース１５は、ケース本体１６とこのケース本体１６に組み合うケース蓋１７とからなる。前者のケース本体１６は、コイルを巻回する幅狭で低底の直状部１６ａを中央に有し、その両端には該直状部１６ａより幅広で深底のフランジ収納部１６ｂを備えている。直状部１６ａとフランジ収納部１６ｂとの間に形成されている境壁には、コア破断防止用のスロープ部１６ｃが配設されている。ケース本体１６に組み合う後者のケース蓋１７は、コイルを巻回する幅狭の直状部１７ａと、その両端に形成されている巻枠壁部１７ｄと、ケース本体１６に組み合った際にケース１６のフランジ収納部１６ｂの蓋になる段違いのフランジ蓋１７ｂ、１７ｃとを有する。
【００１８】
図１（ｂ）に示すように、コア１０の第２積層部１４のうち、図４に示すコア１０のフランジ１２ｂの延伸部１２ｃは、図５のケース蓋１７の下方に突出したフランジ蓋１７ｃが当接し、コア１０の第２積層部１４におけるフランジ部１２ｂを下方に変形させ、第１積層部１３のフランジ部１１ｂと第２積層部１４のフランジ部１２ｂとの間における積層を分割するようになっている。
この積層分割により隙間Ｓが第１積層部１３のフランジ部１１ｂと第２積層部１４のフランジ部１２ｂとの間に形成されるが、この隙間Ｓの働きに、電波の収束性を高めることができ、アンテナの電波受信性能を向上させることができる。また、特許文献１のように、スペーサなどの余分な部品を必要とせず、またそのような部品の取付作業もないため生産性が向上するものであり、さらに特許文献２に示した副磁路６３を設ける必要がなく、小型化を達成できるアンテナとなり、ウォッチの小型化を可能とする。
なお、コア１０の延伸部１２ｃに当接して下方に変形させるケース蓋１７のフランジ蓋１７ｃの形状は特に平面状である必要はなく、湾曲形状、波形形状などの他の形状であっても良い。
【実施例１】
【００１９】
実施形態に使用した図１から図８に示したアンテナを作製した。
図４の短尺片１１及び長尺片１２は、１８μｍ厚のＣｏ基非晶質軟磁性合金製薄片を、プレス打ち抜きにより得る。また、短尺片１１における各寸法は、直状部１１ａの横幅が０．５ｍｍ幅、長さが９．５ｍｍ、両端のフランジ部の最大幅が３．３ｍｍ、長さが４．２ｍｍとし、他方、短尺片１１の全体長さは１８．５ｍｍとした。また、長尺片１２における各寸法は、直状部１２ａの横幅が０．５ｍｍ幅、長さが９．５ｍｍ、両端のフランジ部１２ｂの最大幅が３．３ｍｍとし、円弧状の延伸部１２ｃの幅が１．２ｍｍ幅として、一方の長さが１．５ｍｍ、他方の長さが３．０ｍｍで、長尺片１２の全体長さは２３ｍｍとした。
【００２０】
短尺片１１および長尺片１２の積層枚数は、それぞれ各２０枚とし、積層厚０．８ｍｍの積層コア１０とした。なお、前記積層前に短尺片および長尺片は、磁場中熱処理をおこない良好な軟磁気特性を得ている。
【００２１】
上述の積層作業は、実際には図５に示すケースを使用しておこなっている。図５に示す樹脂ケース１５は、耐熱性、絶縁性、強度も良好なＬＣＰ（液晶ポリマー）を材料として作製し、ケース本体１６の直状部１６ａの底面とフランジ収納部１６ｂの底面との間には、１．２ｍｍの段差を設けた。この段差がスロープ部１６ｃの上部に形成されている傾斜面の勾配となっている。
このような構造を備えているケース本体１５を用意する一方、図４に示すように、コイル巻回部である幅狭の直状部１１ａと該直状部１１ａの両端に形成されたフランジ部１１ｂとを有する非晶質軟磁性合金製の第１の薄片を、複数枚積層して第１のコア積層部１３である短尺片１１を作製する。また、コイル巻回部である幅狭の直状部１２ａと該直状部１２ａの両端に形成されたフランジ部１２ｂとを有し、かつ、該フランジ部１２ｂに延伸部１２ｃが形成された非晶質軟磁性合金製の第２の薄片を、複数枚積層して第２のコア積層部１４である長尺片１２を作製する。
これら短尺片１１および長尺片１２は、例えば、積層治具１００に形成されたスリット１０１内に必要枚数の薄片を積層して作製する。
その後、第１、第２の各コア積層部である短尺片１１と長尺片１２を上面が開口された第１のケース本体であるケース本体１６に、前記第１のコア積層部である短尺片１１が開口側になるように収納する。
その後、図７に示すように、第１のケース本体であるケース本体１６の開口に第２のケース本体であるケース蓋１７を上部からかぶせる。更に、第２のケース本体であるケース蓋１７に形成された突部であるフランジ蓋１７ｃの下端部を前記第２積層部である長尺片１２における前記延伸部１２ｃに当接させ、かつ、前記第１のケース本体であるケース本体１６の中央部に形成された突部となるスロープ部１６ｃを前記第２のコア積層部である長尺片１２の中央部に当接させ、これら各当接作用により前記第２積層部のフランジ部である長尺片１２を外方向に変形させる。すると、図８および図１（ｂ）に示すように、この外方向に変形された外方向変形部１２ｄが、第１積層部１３のフランジ部１１ｂに形成されることとなる。この結果、第１積層部１３のフランジ部１１ｂと第２積層部１４のフランジ部１２ｂとの間における積層を分割することとなり、この間に隙間Ｓが設けられることとなる。
このようにして、ケース本体１６に長尺片１２及び短尺片１１を積層した後、ケース蓋１７でケース本体１６の開口を閉じると、ケース蓋１７のフランジ蓋１７ｃの押し込み作用により、ケース本体１６に収まる積層コアの内、長尺片１２からなる第２積層１４の両端が下方に押さえ込まれる。この時、短尺片からなる第１積層部１３と第２積層１４との間に隙間Ｓが発生し、最大箇所で１．０ｍｍを発生させることができた。
【００２２】
コア１０が収まった樹脂ケース１５に、０．０９ｍｍのＵＥＷを１２００ターン巻回しコイルを形成して、アンテナを完成させた。このアンテナの電気的特性は、表１の通りである。また、比較例としてケース蓋１７のフランジ蓋１７ｃを除去し、コアの第１積層部１３と第２積層部１４とに隙間を設けないアンテナも作製し、本発明の効果を確認した。
【００２３】
【表１】
2006157295.tif 000003
【００２４】
表１の結果より、本発明はアンテナとしての性能を示すＱ特性において、比較例より１割以上高いＱ値を得ることができており、電波の受信性能が顕著に向上したものであることを確認した。
【実施例２】
【００２５】
別の実施例として、図９のアンテナを作製した。図９の短尺片２１及び長尺片２２は、１８μｍ厚のＣｏ基非晶質軟磁性合金製薄片を、プレス打ち抜きにより得る。短尺片２１の各寸法は、直状部２１ａの横幅が０．６ｍｍ幅、長さが１１．５ｍｍ、両端のフランジ２１ｂの最大幅が３．３ｍｍ、長さが３．２ｍｍをとし、短尺片２１の全体長さが１７．９ｍｍとした。また、長尺片２２の各寸法は、直状部２２ａの横幅が０．６ｍｍ幅、長さが１１．５ｍｍ、両端のフランジ２２ｂの最大幅を３．３ｍｍとし、円弧状の延伸部２２ｃの幅が１．４ｍｍ幅として、一方の長さが３．４ｍｍ、他方の長さが２．５ｍｍで、長尺片２２の全体長さを２０ｍｍとした。
【００２６】
コア４０は、短尺片２１が必要枚数積層された第１積層部２３および長尺片２２が必要枚数積層された第２積層部２４により形成されている。
一方、ケース35は、第１のケース本体であるケース本体２６の開口に第２のケース本体であるケース蓋２７とからなる。前者のケース本体２６は、コイルを巻回する幅狭で低底の直状部２６ａを中央に有し、その両端には該直状部２６ａより幅広で深底のフランジ収納部２６ｂを備えている。直状部２６ａとフランジ収納部２６ｂとの間に形成されている境壁部には、コア破断防止用のスロープ部２６ｃが配設されている。ケース本体２６に組み合う後者のケース蓋２７は、コイルを巻回する幅狭の直状部２７ａと、その両端に形成されている巻枠壁部２７ｄと、ケース本体２６に組み合った際にケース２６のフランジ収納部２６ｂの蓋になる段違いのフランジ蓋２７ｂ、２７ｃとを有する。
なお、短尺片２１、長尺片２２は、良好な軟磁気特性を得るための磁場中熱処理をおこなった後、ケース本体２６、ケース蓋２７に積層収納した。長尺片２２は２０枚、短尺片２１は２０枚積層させ、積層コア高さ０．８ｍｍとして、ケースに収納している。
【００２７】
この時、ケース蓋２７のフランジ蓋２７ｃにより、コアの長尺片２２の両端が下方へと押し込まれ、短尺片２１からなる積層部と長尺片２２からなる積層部との間に最大０．８ｍｍの隙間Ｓを発生させることができた。
【００２８】
図９で作製したコア４０が収まったケース２６、２７に、０．０８ｍｍのＵＥＷを１６００ターン巻回しコイル４１を形成して、小型アンテナ３１を完成させた。この小型アンテナ３１の電気的特性は、インダクタンスが、４０ｋＨｚ：４０．１ｍＨ、６０ｋＨｚ：４１．８ｍＨ、Ｑが４０ｋＨｚ：８５、６０ｋＨｚ：７８と、Ｑ値が高いものを得ることができた。
【００２９】
図１０は、図９で得られたアンテン３１を腕時計であるウォッチ３２に組み込んだ状態を示し、ウォッチ３２の金属ケース３３内側の曲線に沿った小型アンテナ３１のフランジ部２１ｂ、２２ｂの外形の一部は、時計本体であるウォッチ３２の部品収納壁部３２ａの形状にほぼ一致するように円弧状または屈折状の形状を成しているので、小型アンテナ３１をウォッチ３２内にコンパクトに収納することができた。また、ウォッチ３３の金属ケース３３はチタン合金より形成し、その金属ケース内に小型アンテナ３１を収納した場合でも十分に標準電波を受信することができ、正確な時刻を得ることができた。
【産業上の利用可能性】
【００３０】
本発明は、ウォッチなどの電子機器全体の小型化、薄型化を可能とする。これにより、例えば、本件発明のアンテナを電波時計に適用した場合には電波時計の意匠性を向上させることができる。また金属ケースを使用しても標準電波が問題なく受信できる。
【図面の簡単な説明】
【００３１】
【図１】本発明のアンテナに係る第１の実施形態を示し、（ａ）はアンテナの平面図、（ｂ）はそのアンテナにおけるＩ−Ｉ断面図である。
【図２】図１（ａ）におけるＩＩ―ＩＩ線断面図である。
【図３】図１（ａ）におけるＩＩＩ―ＩＩＩ線断面図である。
【図４】図１のアンテナに用いるコアの構造を示す斜視図である。
【図５】図１のアンテナに用いる樹脂製ケースの構造を示す斜視図である。
【図６】（ａ）および（ｂ）は本発明のアンテナを製造する準備段階を示す分解斜視図である。
【図７】本発明のアンテナを製造する途中の段階を示す図である。
【図８】本発明のアンテナを製造する後段階を示す図である。
【図９】本発明のアンテナに係る第２の実施形態を示す分解斜視図である。
【図１０】本発明のアンテナを腕時計に取り付た状態を示す平面図である。
【図１１】従来のアンテナの構造を示す断面図である。
【図１２】別の従来のアンテナの構造を示す略平面図ある。
【符号の説明】
【００３２】
１０、４０：コア
１１、２１：短尺片
１１ａ、２１ａ：短尺片の直状部
１１ｂ、２１ｂ：短尺片のフランジ部
１２、２２：長尺片
１２ａ、２１ａ：長尺片の直状部
１２ｂ、２２ｂ：長尺片のフランジ部
１２ｃ、２２ｃ：長尺片の延伸部
１３、２３：コアの第１積層部
１４、２４：コアの第２積層部
１５、３５：樹脂ケース
１６、２６：ケース本体
１６ｃ、２６ｃ：スロープ部
１７、２７：ケース蓋
１７ｃ、２７ｃ：フランジ蓋
２０、４１：コイル
３２：ウオッチ（腕時計）
Ｓ：隙間
【図１】
2006157295.tif 000004
【図２】
2006157295.tif 000005
【図３】
2006157295.tif 000006
【図４】
2006157295.tif 000007
【図５】
2006157295.tif 000008
【図６】
2006157295.tif 000009
【図７】
2006157295.tif 000010
【図８】
2006157295.tif 000011
【図９】
2006157295.tif 000012
【図１０】
2006157295.tif 000013
【図１１】
2006157295.tif 000014
【図１２】
2006157295.tif 000015